(57)【特許請求の範囲】
【請求項１】
洗浄、すすぎ時に内槽と外槽の間に水が存在しない洗濯機に用いられ、洗濯機が、槽側壁の下部に孔の存在しない内槽（１）を含む洗濯機の排水構造において、
前記排水構造は、止水蓋（８）、梃子構造及び駆動装置を含み、梃子構造のうち作用点側アーム端は止水蓋（８）に接続され、力点側アーム端は梃子構造を動作させるよう駆動する駆動装置に設けられ、前記内槽（１）の底壁には排水口が設けられ、前記梃子構造は、止水蓋（８）が洗浄及びすすぎ過程では排水口を閉止し、排水時には排水口を開放するよう駆動装置により駆動され、
前記梃子構造は、梃子（３）及び梃子ブラケット（６）を含み、
前記駆動装置はカム（１２）を含み、前記カム（１２）は回動可能に前記内槽（１）の底壁外側に取り付けられ、前記カム（１２）の輪郭曲面（１０）が前記梃子（３）における力点側アーム端の上方に設けられ、前記輪郭曲面（１０）は、前記カム（１２）の回動に伴って前記梃子（３）の力点側アームを押圧／解放して、梃子構造の梃子運動を実現することを特徴とする構造。
【請求項２】
前記梃子ブラケット（６）は内槽（１）の底壁外側に固定され、前記梃子（３）は回動可能に前記梃子ブラケット（６）に取り付けられ、前記駆動装置は前記梃子（３）が前記梃子ブラケット（６）周りに回動するよう駆動することを特徴とする請求項１記載の洗濯機の排水構造。
【請求項３】
前記止水蓋（８）と梃子構造における作用点側アーム端はヒンジを介して接続され、止水蓋（８）は、梃子構造における作用点側アーム端の中心線周りに回動自在とされ、止水蓋（８）と内槽の底壁との間には０〜１５°の可動夾角が設けられ、前記可動夾角は５°であることが好ましいことを特徴とする請求項１記載の洗濯機の排水構造。
【請求項４】
前記カム（１２）には、更に、第１位置規制部（３４）及び第２位置規制部（３５）が設けられ、前記第１位置規制部（３４）は、止水蓋（８）により排水口が開放される位置までカム（１２）が回動してから停止するよう規制するものであり、前記第２位置規制部（３５）は、止水蓋（８）により排水口が閉止される位置までカム（１２）が回動してから停止するよう規制するものであることを特徴とする請求項１記載の洗濯機の排水構造。
【請求項５】
前記梃子構造における梃子（３）とブラケット（６）の間には、輪郭曲面（１０）からの解放時に梃子（３）を位置回復させるためのねじりばね（２）が設けられ、前記ねじりばね（２）は、輪郭曲面（１０）が梃子（３）の力点側アームを押圧する際に変形し、輪郭曲面（１０）が梃子（３）の力点側アームを解放する際に変形から回復することを特徴とする請求項１記載の洗濯機の排水構造。
【請求項６】
前記洗濯機は、内槽（１）の外部に同軸に取り付けられる外槽（１３）を含み、
前記駆動装置は、更に、外槽（１３）の底壁に取り付けられる第１レバーストッパユニット（１６）及び第２レバーストッパユニット（１７）を含み、前記カム（１２）には第１レバー（９）と第２レバー（１１）が設けられ、
前記内槽（１）が順方向に回動する際、第１レバーストッパユニット（１６）が第１レバー（９）を妨げてカム（１２）を逆方向に回動させることで、輪郭曲面（１０）が梃子構造を押圧し、止水蓋（８）が排水口を開放する一方、内槽（１）が逆方向に回動する際、第２レバーストッパユニット（１７）が第２レバー（１１）を妨げてカム（１２）を順方向に回動させることで、輪郭曲面（１０）が梃子構造を解放し、止水蓋（８）が排水口を閉止することを特徴とする請求項１記載の洗濯機の排水構造。
【請求項７】
前記第１レバーストッパユニット（１６）と第２レバーストッパユニット（１７）は、上下に運動可能なレバーストッパ（２３）をそれぞれ含み、
第１レバーストッパユニット（１６）のレバーストッパ（２３）が上方への運動時に第１レバー（９）のみを妨げるよう、前記第１レバーストッパユニット（１６）は第２レバーストッパユニット（１７）の外側に設けられ、第１レバー（９）の長さは第２レバー（１１）の長さよりも長く、
第２レバーストッパユニット（１７）のレバーストッパ（２３）が上方への運動時に第２レバー（１１）のみを妨げるよう、前記第２レバーストッパユニット（１７）のレバーストッパ（２３）の長さは、第１レバーストッパユニット（１６）のレバーストッパ（２３）の長さよりも短く、第２レバー（１１）と外槽（１３）の底壁との距離は、第１レバー（９）と外槽（１３）の底壁との距離よりも短いことを特徴とする請求項６記載の洗濯機の排水構造。
【請求項８】
前記第１レバーストッパユニット（１６）と第２レバーストッパユニット（１７）は、いずれも密封カバー（２５）及び上下に運動可能なレバーストッパ（２３）を含み、レバーストッパ（２３）は、上部が外槽（１３）の底壁を貫通して内槽（１）と外槽（１３）の間に位置するとともに、下部が外槽（１３）の底壁の外部に位置しており、密封カバー（２５）はレバーストッパ（２３）の上部を覆うとともに、レバーストッパ（２３）の運動に伴って伸縮可能であり、密封カバー（２５）の他端と外槽（１３）の底壁との間は密封接続されることを特徴とする請求項６記載の洗濯機の排水構造。
【請求項９】
前記第１レバーストッパユニット（１６）と第２レバーストッパユニット（１７）は更に圧縮ばね（２７）を含み、圧縮ばね（２７）はレバーストッパ（２３）の下部に設けられ、圧縮ばね（２７）の一端は外槽（１３）の底壁に当接しており、他端はレバーストッパ（２３）の下端端部に当接しており、
前記圧縮ばね（２７）は、レバーストッパ（２３）の上昇時に圧縮されて、レバーストッパ（２３）が下降により位置回復するための弾性力を付与することを特徴とする請求項８記載の洗濯機の排水構造。
【請求項１０】
前記駆動装置は、押圧板（２０）、ブラケット（２１）、牽引バー（２２）及びトラクションモーター（１９）を更に含み、ブラケット（２１）は外槽（１３）の底壁外側に固定され、牽引バー（２２）は回動可能にブラケット（２１）に装着され、牽引バー（２２）の一端はトラクションモーター（１９）に接続され、他端は押圧板（２０）に固定接続され、押圧板（２０）の両端はそれぞれ第１レバーストッパユニット（１６）と第２レバーストッパユニット（１７）を押圧しており、
前記牽引バー（２２）と押圧板（２０）は、トラクションモータ（１９）に牽引されてブラケット（２１）周りに回動し、押圧板（２０）の一端が上昇すると、第１レバーストッパユニット（１６）が上方に運動するよう押し上げられ、押圧板（２０）の他端が下降すると、第２レバーストッパユニット（１７）が下方に運動することを特徴とする請求項６記載の洗濯機の排水構造。
【発明の詳細な説明】
【技術分野】
【０００１】
本発明は洗濯機の技術分野に関し、具体的には、洗濯機の排水構造に関する。
【背景技術】
【０００２】
生活水準の向上に伴って洗濯機に対する要求は高まる一方であり、単純な洗濯ではもはや利用者のニーズを満たすことはできなくなっている。特に、エネルギーと発展が社会発展におけるテーマとなっていることから、洗濯機については基本的な洗濯ニーズを満たすだけでなく、省エネもまた重要な評価要素となっている。通常のパルセータ洗濯機の場合、注水時に内槽と外槽の間にも大量の水が存在するが、洗浄時には内槽以外の水は無駄となってしまう。そこで、従来の内槽下部に孔が存在しない洗濯機の場合、内槽の上端部だけに脱水用排水孔を設けることで、注水後の洗浄、すすぎ時に内槽のみに水が存在し、内槽と外槽の間には水が溜まらないようにしている。こうすることで、洗濯機内の水を十分に活用できるほか、他の洗濯機と比べて注水時の水使用量が４０%抑えられ、洗剤の節約にもなる。また、内槽への注水量が減少することから、洗濯機への負荷がある程度軽減し、より省電力ともなる。
【０００３】
しかし、このような内槽底壁に孔が存在しない洗濯機にも欠点はある。内槽下部に脱水用排水孔が設けられていないため、脱水時に迅速に排水できず、脱水の開始が遅れる。また、脱水開始時の振動が大きいほか、エネルギー消費が大きく、脱水後の衣類含水率が高くなる。
【０００４】
そこで、このような洗濯機における排水問題をいかに良好に解決し、ユーザの使用感を高めるかが極めて重要となっている。
【発明の概要】
【発明が解決しようとする課題】
【０００５】
上記の課題を解決するために、本発明は洗濯機の排水構造を提供し、具体的には、以下の技術方案を採用する。
【課題を解決するための手段】
【０００６】
洗浄、すすぎ時に内槽と外槽の間に水が存在しない洗濯機に用いられ、洗濯機が、槽側壁の下部に孔の存在しない内槽を含む洗濯機の排水構造において、前記排水構造は、止水蓋、梃子構造及び駆動装置を含み、梃子構造のうち作用点側アーム端は止水蓋に接続され、力点側アーム端は梃子構造を動作させるよう駆動する駆動装置に設けられ、前記内槽の底壁には排水口が設けられ、前記梃子構造は、止水蓋が洗浄及びすすぎ過程では排水口を閉止し、排水時には排水口を開放するよう駆動装置により駆動される。
【０００７】
更に、前記梃子構造は、梃子及び梃子ブラケットを含み、梃子ブラケットは内槽の底壁外側に固定され、梃子は回動可能に梃子ブラケットに取り付けられ、前記駆動装置は梃子がブラケット周りに回動するよう駆動する。
【０００８】
更に、前記止水蓋と梃子構造における作用点側アーム端はヒンジを介して接続され、止水蓋は、梃子構造における作用点側アーム端の中心線周りに回動自在とされ、止水蓋と内槽の底壁との間には０〜１５°の可動夾角が設けられ、前記可動夾角は５°であることが好ましい。
【０００９】
更に、前記駆動装置はカムを含み、カムは回動可能に内槽の底壁外側に取り付けられ、カムの輪郭曲面が梃子における力点側アーム端の上方に設けられ、前記輪郭曲面は、カムの回動に伴って梃子の力点側アームを押圧／解放して、梃子構造の梃子運動を実現する。
【００１０】
更に、前記カムには第１位置規制部及び第２位置規制部が設けられ、前記第１位置規制部は、止水蓋により排水口が開放される位置までカムが回動してから停止するよう規制するものであり、前記第２位置規制部は、止水蓋により排水口が閉止される位置までカムが回動してから停止するよう規制するものである。
【００１１】
更に、前記梃子構造における梃子とブラケットの間には、輪郭曲面からの解放時に梃子を位置回復させるためのねじりばねが設けられ、前記ねじりばねは、輪郭曲面が梃子の力点側アームを押圧する際に変形し、輪郭曲面が梃子の力点側アームを解放する際に変形から回復する。
【００１２】
更に、前記洗濯機は、内槽の外部に同軸に取り付けられる外槽を含み、前記駆動装置は、更に、外槽の底壁に取り付けられる第１レバーストッパユニット及び第２レバーストッパユニットを含み、前記カムには第１レバーと第２レバーが設けられ、前記内槽が順方向に回動する際、第１レバーストッパユニットが第１レバーを妨げてカムを逆方向に回動させることで、輪郭曲面が梃子構造を押圧し、止水蓋が排水口を開放する一方、内槽が逆方向に回動する際、第２レバーストッパユニットが第２レバーを妨げてカムを順方向に回動させることで、輪郭曲面が梃子構造を解放し、止水蓋が排水口を閉止する。
【００１３】
更に、前記第１レバーストッパユニットと第２レバーストッパユニットは、上下に運動可能なレバーストッパをそれぞれ含み、第１レバーストッパユニットのレバーストッパが上方への運動時に第１レバーのみを妨げるよう、前記第１レバーストッパユニットは第２レバーストッパユニットの外側に設けられ、第１レバーの長さは第２レバーの長さよりも長く、第２レバーストッパユニットのレバーストッパが上方への運動時に第２レバーのみを妨げるよう、前記第２レバーストッパユニットのレバーストッパの長さは、第１レバーストッパユニットのレバーストッパの長さよりも短く、第２レバーと外槽の底壁との距離は、第１レバーと外槽の底壁との距離よりも短い。
【００１４】
更に、前記第１レバーストッパユニットと第２レバーストッパユニットは、いずれも密封カバー及び上下に運動可能なレバーストッパを含み、レバーストッパは、上部が外槽の底壁を貫通して内槽と外槽の間に位置するとともに、下部が外槽の底壁の外部に位置しており、密封カバーはレバーストッパの上部を覆うとともに、レバーストッパの運動に伴って伸縮可能であり、密封カバーの他端と外槽の底壁との間は密封接続される。
【００１５】
更に、前記第１レバーストッパユニットと第２レバーストッパユニットは圧縮ばねを含み、圧縮ばねはレバーストッパの下部に設けられ、圧縮ばねの一端は外槽の底壁に当接しており、他端はレバーストッパの下端端部に当接しており、前記圧縮ばねは、レバーストッパの上昇時に圧縮されて、レバーストッパが下降により位置回復するための弾性力を付与する。
【００１６】
更に、前記駆動装置は、押圧板、ブラケット、牽引バー及びトラクションモータを含み、ブラケットは外槽の底壁外側に固定され、牽引バーは回動可能にブラケットに装着され、牽引バーの一端はトラクションモータに接続され、他端は押圧板に固定接続され、押圧板の両端はそれぞれ第１レバーストッパユニットと第２レバーストッパユニットを押圧しており、前記牽引バーと押圧板は、トラクションモータに牽引されてブラケット周りに回動し、押圧板の一端が上昇すると、第１レバーストッパユニットが上方に運動するよう押し上げられ、押圧板の他端が下降すると、第２レバーストッパユニットが下方に運動する。
【発明の効果】
【００１７】
本発明では、内槽の側壁上部周りにのみ脱水用排水孔が設けられている。脱水用排水孔は、洗濯機内槽の最大給水量以上の位置に設けられており、脱水時に出た水がここから排出される。内槽の側壁のその他の部位は封止設計となっており、いかなる貫通孔構造も設けられていない。また、内槽の底壁には比較的孔径の大きな排水口が設けられ、洗浄及びすすぎ過程で閉止され、排水時に開放されることを除き、内槽底壁のその他の部位は封止設計とされる。
【００１８】
本発明の排水構造は、洗浄、すすぎ時に内槽と外槽の間に水が存在しない洗濯機に適用される。内槽の底壁には排水口が設けられ、排水構造の止水蓋は、洗浄又はすすぎ過程では梃子構造の作用によって排水口を閉止する一方、排水時には梃子構造の作用によって排水口を開放する。また、梃子構造は、駆動装置による駆動作用によって梃子動作を実現する。そこで、本発明の排水構造では、梃子構造における作用点側アーム端の上昇・下降を利用して、止水蓋により排水口を開閉することで洗濯機における排水を実現する。更には、構造が単純で取り付けやすく、市場での普及価値に優れている。
【図面の簡単な説明】
【００１９】
【図１】図１は、本発明の排水構造が内槽底部に取り付けられた場合の斜視図である。
【図２】図２は、本発明の排水構造が内槽底部に取り付けられた場合の他の斜視図である。
【図３】図３は、本発明のカムの斜視図である。
【図４】図４は、本発明の排水構造が外槽底部に取り付けられた場合の斜視図である。
【図５】図５は、本発明の図４の平面図である。
【図６】図６は、本発明の図４の断面図である。
【図７】図７は、本発明の第１レバーストッパユニットと第２レバーストッパユニットの斜視図である。
【図８】図８は、本発明の第１レバーストッパユニット又は第２レバーストッパユニットの断面図である。
【図９】図９は、本発明の動作原理を示す図である。
【図１０】図１０は、本発明における排水構造の開放状態の斜視図である。
【図１１】図１１は、本発明における排水構造の閉止状態の斜視図である。
【図１２】図１２は、本発明の実施例２の斜視図である。
【図１３】図１３は、本発明の実施例２の正面図である。
【発明を実施するための形態】
【００２０】
以下に、図面を組み合わせて本発明における洗濯機の排水構造につき詳述する。
【００２１】
図１に示すように、洗浄、すすぎ時に内槽と外槽の間に水が存在しない洗濯機に用いられる洗濯機の排水構造において、前記排水構造は、止水蓋８、梃子構造及び駆動装置を含む。梃子構造の作用点側アーム端は止水蓋８に接続され、力点側アーム端は梃子構造を動作させるよう駆動する駆動装置に設けられる。前記内槽１の底壁には排水口が設けられ、前記梃子構造は、止水蓋８が洗浄及びすすぎ過程では排水口を閉止し、排水時には排水口を開放するよう駆動装置により駆動される。
【００２２】
本発明では、内槽１の側壁上部周りにのみ脱水用排水孔が設けられている。脱水用排水孔は、洗濯機内槽の最大給水量以上の位置に設けられており、脱水時に出た水がここから排出される。内槽１の側壁のその他の部位は封止設計となっており、いかなる貫通孔構造も設けられていない。また、内槽１の底壁には比較的孔径の大きな排水口が設けられ、洗浄及びすすぎ過程で閉止され、排水時に開放されることを除き、内槽底壁のその他の部位は封止設計とされる。
【００２３】
本発明の排水構造は、洗浄、すすぎ時に内槽と外槽の間に水が存在しない洗濯機に適用される。内槽１の底壁には排水口が設けられ、排水構造の止水蓋８は、洗浄又はすすぎ過程では梃子構造の作用によって排水口を閉止する一方、排水時には梃子構造の作用によって排水口を開放する。また、梃子構造は、駆動装置による駆動作用によって梃子運動を実現する。そこで、本発明の排水構造では、梃子構造における作用点側アーム端の上昇・下降を利用して、止水蓋８により排水口を開閉することで洗濯機における排水を実現する。更には、構造が単純で取り付けやすく、市場での普及価値に優れている。
【００２４】
本発明の好ましい実施形態として、前記梃子構造は、梃子３と梃子ブラケット６を含む。梃子ブラケット６は内槽１の底壁外側に固定されており、梃子３の中央部が回動可能に梃子ブラケット６に取り付けられている。前記止水蓋８は梃子３の作用点側アーム端に接続されており、前記駆動装置は梃子３の力点側アーム端に設けられている。駆動装置は、梃子３が梃子ブラケット６周りに回動するよう駆動する。
【００２５】
本発明における梃子３の作用点側アーム端が止水蓋８に接続されており、力点側アーム端が駆動装置に接続されているほか、本発明の梃子構造は内槽１の底壁外側に設けられている。そのため、力点側アーム端が駆動装置により上方へ運動するよう駆動されると、作用点側アーム端は止水蓋８を伴って下方に運動し、排水口を開放する。また、力点側アーム端が駆動装置により下方へ運動するよう駆動されると、作用点側アーム端は止水蓋８を伴って上方へ運動し、排水口を閉止する。つまり、本発明の排水構造では、梃子構造を採用することで排水口の開閉がいずれも梃子の作用を受けることから、より確実となる。
【００２６】
本発明の好ましい実施形態として、前記止水蓋８と梃子構造の作用点側アーム端はヒンジを介して接続されている。止水蓋８は、梃子構造における作用点側アーム端の中心線周りに回動自在とされ、止水蓋８と内槽底壁との間には０〜１５°の可動夾角が設けられる。なお、前記可動夾角は５°とすることが好ましい。梃子構造の運動軌跡は直線状であるため、止水蓋８が排水口を覆う際に、一部が接触しているにも拘わらず他の部分が未接触となり、排水口がしっかりと塞がれないことで漏水する場合がある。そこで、止水蓋８をヒンジによって梃子構造に接続すれば、止水蓋８に一定の可動角を持たせることができ、止水蓋８による排水口の封止がより容易となる。
【００２７】
本発明の好ましい実施形態として、前記内槽１の排水口周りには堰止リブ７が設けられる。堰止リブの主な作用は、排水口からの排水時に水流が梃子構造を押し流して不安定化させ、更には損傷させてしまうとの事態を防止することにある。更に、堰止リブ７のうち梃子３に対応する箇所には切欠きが設けられているため、堰止リブ７が梃子３の正常な上昇及び下降を妨げることがなく、止水蓋８の開閉がよりスムーズとなる。堰止リブ７は、梃子構造に向かって流動する水流を減少させるためのものにすぎず、排水口のうち梃子構造寄りの側に設けることが好ましい。
【００２８】
いかにして本発明における梃子構造の梃子運動を実現し、止水蓋８を開閉させるかが本発明の要点となる。そこで、本発明では以下の技術方案を用いて梃子構造が梃子運動するよう駆動する。
【００２９】
図２に示すように、本発明で記載する駆動装置はカム１２を含む。カム１２は回動可能に内槽１の底壁外側に取り付けられ、カム１２の輪郭曲面１０が梃子３における力点側アーム端に接触する。前記輪郭曲面１０は、カム１２の回動に伴って梃子３の力点側アームを押圧／解放して、梃子構造の梃子運動を実現する。
【００３０】
そこで、本発明では、カム１２の回動過程において、輪郭曲面１０の異なる曲面が梃子３の力点側アーム端と接触する。曲率半径の大きな面が梃子３の力点側アーム端に接触すると、カム１２が梃子３の力点側アームを押圧する。これにより、梃子３の力点側アーム端が圧力を受けて上方へ運動し、梃子３の作用点側アーム端が下方に運動することで、止水蓋８が排水口を開放する。一方、曲率半径の小さな面が梃子３の力点側アーム端に接触すると、カム１２が梃子３の力点側アームを解放する。これにより、梃子３の力点側アーム端が下方に位置回復し、梃子３の作用点側アーム端が上方へ運動することで、止水蓋８により排水口が閉止される。
【００３１】
本発明の輪郭曲面１０は、少なくとも第１曲面、第２曲面及び第３曲面を含む。第１曲面の曲率半径は徐々に拡大しており、第２曲面の曲率半径は第１曲面の曲率半径の最大値に等しい。また、第３曲面の曲率半径は第２曲面の曲率半径よりもやや小さい。そのため、本発明の止水蓋８が閉止される際には、輪郭曲面１０の第１曲面と梃子３における力点側アーム端が接触することになる。輪郭曲面１０は、カム１２の回動過程において、第１曲面、第２曲面が梃子３の力点側アーム端にそれぞれ接触し、曲率半径が最大の第２曲面に到達した後に、第３曲面に到達するまで回動を継続してから停止する。このとき、第３曲面が梃子３の力点側アーム端を押圧することで止水蓋８が開放される。このように、主としてカム１２が回動を停止すると、第３曲面の曲率半径が第２曲面の曲率半径よりもやや小さいことから、カム１２の回転が防止され、止水蓋８の開放状態がより確実に保証される。
【００３２】
本発明の梃子３における力点側アーム端の端部には、フレーム状構造５が設けられている。フレーム状構造５の内部にはプーリ４が回動可能に設けられており、プーリ４とカム１２の輪郭曲面１０が接触する。これによれば、カム１２と梃子３の力点側アーム端との接触時における摩擦が軽減するため、移動がより安定し、ノイズが発生することがない。
【００３３】
本発明の止水蓋８による排水口の開放は、主としてカム１２が梃子３の力点側アーム端を押圧することにより実現される。一方、止水蓋８による排水口の閉止は、カム１２が梃子３の力点側アーム端を解放し、梃子３の力点側アーム端が下方に位置回復することで実現される。このため、カム１２からの解放時に梃子３の力点側アーム端を確実に位置回復させることが、止水蓋８による排水口閉止のポイントとなる。そこで、本発明の好ましい実施形態として、前記梃子構造における梃子３とブラケット６の間には、輪郭曲面１０からの解放時に梃子３を位置回復させるためのねじりばね２が設けられる。前記ねじりばね２は、輪郭曲面１０が梃子３の力点側アームを押圧する際に変形し、輪郭曲面１０が梃子３の力点側アームを解放する際に変形から回復する。
【００３４】
本発明のねじりばね２は、カム１２が梃子３を押圧する際に変形することで一定の弾性力を備える。そして、カム１２が梃子３を解放する際にねじりばね２が変形から回復し、梃子３に弾性力を付与することで力点側アーム端が下降する。本発明ではねじりばね１０によって梃子３の位置回復を実現可能なことから、構造が単純で取り付けやすく、確実且つ効果的である。
【００３５】
上記の技術方案によれば梃子３の駆動に関する課題は解決されるが、梃子３の梃子運動にとってはカム１２の回動をどのように実現するかがポイントとなる。そこで、具体的に以下の技術方案を用いた。
【００３６】
図３、図４、図５及び図６に示すように、本発明で記載する洗濯機は、外槽１３の内部に同軸に取り付けられる内槽１を含む。
【００３７】
本発明で記載する駆動装置は、更に、外槽１３の底壁に取り付けられる第１レバーストッパユニット１６及び第２レバーストッパユニット１７を含む。また、前記カム１２には第１レバー９と第２レバー１１が設けられる。
【００３８】
前記内槽１が順方向に回動する際、第１レバーストッパユニット１６が第１レバー９を妨げてカム１２を逆方向に回動させることで、輪郭曲面１０が梃子構造を押圧し、止水蓋８が排水口を開放する。一方、内槽１が逆方向に回動する際、第２レバーストッパユニット１７が第２レバー１１を妨げてカム１２を順方向に回動させることで、輪郭曲面１０が梃子構造を解放し、止水蓋８が排水口を閉止する。
【００３９】
本発明で記載する順方向の回動又は逆方向の回動とは、内槽１の回動を特定方向に限定するものではなく、内槽１が排水時に双方向への回転を必要とすることを限定するものにすぎない。例えば、時計回りの回動を順方向とする場合には反時計回りの回動が逆方向の回動となり、逆もまた同様となる。本発明の図面では、内槽１の時計回りの回動を順方向とし、内槽１の反時計回りの回動を逆方向とする。本発明の内槽１は双方向に回動することで、排水前に止水蓋８を開放し、排水完了後に止水蓋８を閉止する。
【００４０】
本発明の好ましい実施形態として、前記第１レバーストッパユニット１６と第２レバーストッパユニット１７は、上下に運動可能なレバーストッパ２３をそれぞれ含む。前記第１レバーストッパユニット１６と第２レバーストッパユニット１７におけるレバーストッパ２３は、それぞれ独立して第１レバー９及び第２レバー１１に作用する必要があり、作用対象を誤った場合にはカム１２の回動と位置回復を実現できない。
【００４１】
そのため、前記第１レバーストッパユニット１６は第２レバーストッパユニット１７の外側に設けられ、第１レバー９の長さは第２レバー１１の長さよりも長くなっている。これにより、第１レバーストッパユニット１６のレバーストッパ２３は上方への運動時に第１レバー９のみを妨げることになる。
【００４２】
このように、第１レバーストッパユニット１６を第２レバー１１の自由端の外側に設けることで、第１レバーストッパユニット１６は上方への運動時に、第２レバー１１を妨げることなく第１レバー９のみを妨げることが可能となる。第１レバー９は妨げられることでカム１２を逆方向に回動させ、梃子３の力点側アーム端を押圧する。これにより、力点側アーム端が上昇し、作用点側アーム端が下降することで、止水蓋８が排水口を開放する。
【００４３】
本発明で記載する第２レバーストッパユニット１７のレバーストッパ２３の長さは、第１レバーストッパユニット１６のレバーストッパ２３の長さよりも短い。また、第２レバー１１と外槽１３の底壁との距離は、第１レバー９と外槽１３の底壁との距離よりも短い。これにより、第２レバーストッパユニット１７のレバーストッパ２３は、上方への運動時に第２レバー１１のみを妨げることになる。
【００４４】
このように、第２レバーストッパユニット１７のレバーストッパ２３による上方への運動高さは、第１レバー９を妨げることなく第２レバー１１のみを妨げることが可能である。第２レバー１１は、妨げられることでカム１２を順方向に回動させて、梃子３の力点側アーム端を解放する。これにより、力点側アーム端が下降し、作用点側アーム端が上昇することで、止水蓋８により排水口が閉止される。
【００４５】
本発明で記載する第１レバー９と第２レバー１１の長さは、第１レバー９が、第１レバーストッパユニット１６に妨げられることで輪郭曲面１０の第３曲面と梃子３における力点側アーム端とが接触するまでカム１２を回動させた後に、第１レバーストッパユニット１６から分離し、第２レバー１１が、第２レバーストッパユニット１７に妨げられることで輪郭曲面１０の第１曲面と梃子３における力点側アーム端とが接触するまでカム１２を回動させた後に、第２レバーストッパユニット１７から分離する長さとされる。
【００４６】
図７及び図８に示すように、本発明で記載する第１レバーストッパユニット１６と第２レバーストッパユニット１７は、いずれもレバーストッパ２３、ナット２４、密封カバー２５、固定盤２６及び圧縮ばね２７を含み、前記レバーストッパ２３が外槽１３の底壁を貫通している。本発明の第１レバーストッパユニット１６と第２レバーストッパユニット１７のレバーストッパ２３は、第１レバー９と第２レバー１１を妨げるよう上下に運動可能である。レバーストッパ２３の上部は内槽１と外槽１３の間に位置し、下部は外槽１３の底壁の外部に位置している。前記密封カバー２５はレバーストッパ２３の上部を覆っており、且つレバーストッパ２３の運動に伴って伸縮可能である。密封カバー２５の一端はナット２４を介してレバーストッパ２３に固定され、他端は固定盤２６を介して外槽１３の底壁に固定されるとともに密封している。これにより、第１レバーストッパユニット１６及び第２レバーストッパユニット１７と外槽１３との間が確実に密封され、漏水が防止される。また、前記圧縮ばね２７は、レバーストッパ２３の下部に設けられる。前記レバーストッパ２３の下端端部には、圧縮ばね２７の一端に当接するストッパナット２９が設けられる。前記圧縮ばね２７は、外槽１３の底壁とストッパナット２９の間に設けられる。更に、前記外槽１３には固定ベース２８が取り付けられており、前記レバーストッパ２３は固定ベース２８を貫通している。圧縮ばね２７は、固定ベース２８とストッパナット２９の間に設けられる。これより、圧縮ばね２７が圧力を受けた際に外槽１３を付勢し、外槽１３が頻繁に圧力を受けることで損傷するとの事態を防止可能となる。
【００４７】
本発明の梃子構造とカム１２は内槽１と外槽１３の間に取り付けられる。そこで、十分な取り付け空間を提供すべく、前記外槽１３の底壁には凹溝構造１５が設けられ、前記第１レバーストッパユニット１６と第２レバーストッパユニット１７が凹溝構造１５に取り付けられる。また、前記凹溝構造１５には外槽排水口１４が設けられる。
【００４８】
本発明の第１レバーストッパユニット１６及び第２レバーストッパユニット１７におけるレバーストッパ２３の上下運動を実現すべく、本発明の好ましい実施形態として、図４、図５及び図６に示すように、前記駆動装置は、押圧板２０、ブラケット２１、牽引バー２２及びトラクションモータ１９を更に含む。ブラケット２１は外槽１３の底壁外側に固定され、牽引バー２２は回動可能にブラケット２１に装着される。牽引バー２２の一端はトラクションモータ１９に接続され、他端は押圧板２０に固定接続される。押圧板２０の両端は、それぞれ第１レバーストッパユニット１６及び第２レバーストッパユニット１７を押圧している。
【００４９】
前記牽引バー２２と押圧板２０は、トラクションモータ１９に牽引されてブラケット２１周りに回動する。押圧板２０の一端が上昇すると、第１レバーストッパユニット１６が上方に運動するよう押し上げられ、押圧板２０の他端が下降すると、第２レバーストッパユニット１７が下方に運動する。
【００５０】
本発明の好ましい実施形態として、前記トラクションモータ１９は牽引紐１８によって牽引バー２２に接続される。
【００５１】
実施例１
図２及び図３に示すように、本実施例は、本発明における洗濯機の排水構造に適用されるカム構造１２を提供するとの点においてのみ上記実施例と異なる。カム構造１２は全体が扇形構造をなしており、カム構造１２には輪郭曲面１０が設けられている。本発明のカム１２は洗濯機の内槽１の底壁に取り付けられるため、カム１２の取り付け後の位置からみて、輪郭曲面はカム１２の上面に設けられている。
【００５２】
本実施例で記載するカム１２には、第１レバー９及び第２レバー１１が設けられる。第１レバー９及び第２レバー１１は一定の弧度を備えて設けられ、弧度の中心が第１レバーストッパユニット１６及び第２レバーストッパユニット１７側に位置している。これによれば、第１レバーストッパユニット１６及び第２レバーストッパユニット１７が第１レバー９及び第２レバー１１を妨げる際に、第１レバーストッパユニット１６及び第２レバーストッパユニット１７が、第１レバー９及び第２レバー１１の円弧構造に沿ってスライドすることになる。そのため、双方がよりバランスよく作用し、移動がいっそう安定する結果、カム１２の回動が唐突に変化するとの事態が防止される。
【００５３】
実施例２
図１２及び図１３に示すように、本実施例は、本発明における洗濯機の排水構造に適用されるカム構造１２を更に提供するとの点においてのみ上記実施例と異なる。カム構造１２は全体が円柱状をなしており、カム構造１２には輪郭曲面１０が設けられている。本発明のカム１２は洗濯機の内槽１の底壁に取り付けられるため、カム１２の取り付け後の位置からみて、輪郭曲面１０はカム１２の上面に設けられている。
【００５４】
本実施例で記載するカム１２には、第１レバー９及び第２レバー１１が設けられる。
【００５５】
本実施例で記載するカム１２には、更に、第１位置規制部３４及び第２位置規制部３５が設けられる。前記第１位置規制部３４は、止水蓋８により排水口が開放される位置までカム１２が回動してから停止するよう規制するものであり、前記第２位置規制部３５は、止水蓋８により排水口が閉止される位置までカム１２が回動してから停止するよう規制するものである。
【００５６】
第１位置規制部３４及び第２位置規制部３５がカム１２の回動を位置規制する作用を奏することから、カム１２は環状面全体が梃子構造と接触するわけではない。そのため、本実施例の輪郭曲面１０は、第１位置規制部３４と第２位置規制部３５の間のカム１２の上面にのみ設けられる。
【００５７】
本実施例の輪郭曲面１０は、少なくともベース曲面３６、摺動曲面３７及び逆止曲面３８を含む。垂直ストローク高さはベース曲面３６が最も低く、摺動曲面３７の垂直ストローク高さは徐々に上昇するようになっている。また、逆止曲面３８の垂直ストロークは、摺動曲面３７における垂直ストロークの最大値から徐々に低下するようになっているが、低下幅は大きくない。これらは、主として本発明の排水構造における開閉状態から決定される。ベース曲面３６が梃子構造と接触する際には止水蓋８が排水口を覆い、このとき、本発明の排水構造は閉止状態となる。カム１２が回動すると、梃子構造が摺動曲面３７に沿って最大ストロークとなる位置までスライドし、止水蓋８が排水口を開放する。このとき、本発明の排水構造は開放状態となる。また、逆止曲面３８の垂直ストロークは摺動曲面３７の最大ストロークよりもやや小さく、梃子構造を受圧状態に維持可能なため、本発明の排水構造は開放状態に維持される。本発明の排水構造を再び閉止したい場合には、カム１２を逆方向に回動させるだけでよい。
【００５８】
更に、本発明の第１位置規制部３４及び第２位置規制部３５はカム１２の回動を規制するためのものである。カム１２は、ベース曲面３６又は逆止曲面３８の位置まで回動した後に回動を停止する必要があるが、このとき、カム１２は慣性によって回動を継続する可能性がある。この場合、止水蓋８の正常な開閉が不可能となったり、カム１２が損傷したりする。
【００５９】
そこで、本実施例の第１位置規制部３４と第２位置規制部３５はいずれも棒状構造をなしている。第１位置規制部３４及び第２位置規制部３５は、第１レバー９及び第２レバー１１とレバーストッパユニットとの接触に影響しないよう、いずれも第１レバー９及び第２レバー１１よりも短くなっている。
【００６０】
更に、本実施例の第１位置規制部３４と第２位置規制部３５の長さは、カム１２の最外周とブラケット６との距離よりも長くなっている。これにより、カム１２は所定の位置まで回動すると、第１位置規制部３４及び第２位置規制部３５がブラケット６に阻まれることで停止する。
【００６１】
実施例３
図９、図１０及び図１１に示すように、本実施例では実施例２を一例として、本発明における排水構造の動作原理につき詳述する。図９に示すように、図中の実線矢印Ｖと点線矢印ＶＩはいずれも内槽１の回動方向である。実線矢印Ｖは排水構造の閉止に要する内槽１の回動方向であり、点線矢印ＶＩは排水構造の開放に要する内槽１の回動方向である。図中の点線円Ｉは、内槽１に対する第１レバーストッパユニット１６の運動軌跡であり、点線円ＩＩは、内槽１に対する第２レバーストッパユニット１７の運動軌跡である。また、点線円ＩＩＩは、内槽１に対する第１レバー９の運動軌跡であり、点線円ＩＶは、内槽１に対する第２レバー１１の運動軌跡である。
【００６２】
図９及び図１０に示すように、本発明における排水構造の開放には次の過程が含まれる。
【００６３】
１）内槽１が図９の点線矢印ＶＩ方向へ回動する。
２）トラクションモータ１９が起動する。
３）トラクションモータ１９が牽引バー２２を回動するよう牽引し、牽引バー２２が押圧板２０をブラケット２１周りに回動させる。押圧板２０は第１レバーストッパユニット１６の一端を押圧しつつ上昇し、第１レバーストッパユニット１６は押圧板２０の圧力によって上方へ運動する。
４）第１レバーストッパユニット１６のレバーストッパ２３がカム１２の第１レバー９を妨げ可能な位置まで上昇すると、トラクションモータ１９は牽引を停止する。
５）内槽１が図９の点線矢印ＶＩ方向へ回動するのに伴い、カム１２が第１レバーストッパユニット１６まで運動すると、第１レバー９が第１レバーストッパユニット１６に阻まれることで、カム１２は内槽１とともに回動しつつ自転する。
６）カム１２の回動に伴って輪郭曲面１０が運動する。前記梃子３の力点側アーム端は輪郭曲面１０に対し、ベース曲面３６から摺動曲面３７まで運動し、最終的に逆止曲面３８に到達する。すると、カム１２の第２位置規制部３５が梃子ブラケット６に係合することでカム１２が停止する。このとき、第１レバー９は点線円ＩＩＩに沿って回動し、点線円ＩＩＩと点線円Ｉの交差領域を超えて第１レバーストッパユニット１６から分離する。
７）梃子３の力点側アーム端が輪郭曲面１０の逆止曲面３８の圧力を受けて上昇するとともに、梃子３の作用点側アーム端が下降する。梃子３の作用点側アーム端は止水蓋８を伴って下降するため、排水口が開放されて、本発明の排水装置による排水が実現される。
【００６４】
図９及び図１１に示すように、本発明における排水構造の閉止には次の過程が含まれる。
【００６５】
１）内槽１が図９の実線矢印Ｖ方向へ回動する。
２）トラクションモータ１９がリセットされる。
３）牽引バー２２がねじりばねの位置回復に伴ってリセットされる。牽引バー２２は押圧板２０をブラケット２１周りに回動させ、押圧板２０が第２レバーストッパユニット１７の一端を押圧しつつ上昇する。また、第２レバーストッパユニット１７が押圧板２０の圧力によって上方へ運動する。
４）第２レバーストッパユニット１７のレバーストッパ２３がカム１２の第２レバー１１を妨げ可能な位置まで上昇すると、トラクションモータ１９が初期位置に戻る。
５）内槽１が図９の実線矢印Ｖ方向へ回動するのに伴い、カム１２が第２レバーストッパユニット１７まで運動すると、第２レバー１１が第２レバーストッパユニット１７に阻まれることで、カム１２は内槽１とともに回動しつつ逆方向に自転する。
６）カム１２の逆方向回動に伴って輪郭曲面１０が運動する。前記梃子３の力点側アーム端は輪郭曲面１０に対し、逆止曲面３８から摺動曲面３７まで運動し、最終的にベース曲面３６に戻る。すると、カム１２の第１位置規制部３４が梃子ブラケット６に係合することでカム１２が停止する。このとき、第２レバー１１が点線円ＩＶに沿って回動し、点線円ＩＶと点線円ＩＩの交差領域を超えて第２レバーストッパユニット１７から分離する。
７）輪郭曲面１０のベース曲面３６が梃子３の力点側アーム端の下部まで戻ることで、梃子３の力点側アーム端にかかる圧力がなくなり、梃子３の力点側アーム端はねじりばね２の弾性作用によって位置回復する。これにより、梃子３の作用点側アーム端が止水蓋８を伴って上昇することで排水口を閉止し、本発明の排水装置による排水が実現される。
【００６６】
以上は本発明の好ましい実施例にすぎず、本発明をなんらかの形式に制限するものではない。なお、本発明については好ましい実施例を挙げて上述のように開示したが、本発明はこれらに限定されない。当業者であれば、本発明の技術方案を逸脱しない範囲において、上記で提示した技術内容を利用して若干の変更や追加を行い、均等に変化させた等価の実施例とすることが可能である。なお、本発明の技術方案の内容を逸脱することなく、本発明の技術的本質に基づいて上記の実施例に対し実施されるあらゆる簡単な修正、等価の変更及び追加は、いずれも本発明の方案の範囲に属する。
【符号の説明】
【００６７】
１    内槽
２    ねじりばね
３    梃子
４    プーリ
５    フレーム状構造
６    梃子ブラケット
７    堰止リブ
８    止水蓋
９    第１レバー
１０  輪郭曲面
１１  第２レバー
１２  カム
１３  外槽
１４  外槽排水口
１５  凹溝構造
１６  第１レバーストッパユニット
１７  第２レバーストッパユニット
１８  牽引紐
１９  トラクションモータ
２０  押圧板
２１  ブラケット
２２  牽引バー
２３  レバーストッパ
２４  ナット
２５  密封カバー
２６  固定盤
２７  圧縮ばね
２８  固定ベース
２９  ストッパナット
３４  第１位置規制部
３５  第２位置規制部
３６  ベース曲面
３７  摺動曲面
３８  逆止曲面
【図１】
0006635317.tif 000002
【図２】
0006635317.tif 000003
【図３】
0006635317.tif 000004
【図４】
0006635317.tif 000005
【図５】
0006635317.tif 000006
【図６】
0006635317.tif 000007
【図７】
0006635317.tif 000008
【図８】
0006635317.tif 000009
【図９】
0006635317.tif 000010
【図１０】
0006635317.tif 000011
【図１１】
0006635317.tif 000012
【図１２】
0006635317.tif 000013
【図１３】
0006635317.tif 000014